(57)【要約】【課題】カラオケ装置を利用して歌唱動画をライブ配信する際に、視聴者が聴きたい楽曲を容易に決定することが可能なカラオケシステムを提供する。【解決手段】カラオケ装置が、セットリストを更新した投票用楽曲リストを生成し、サーバ装置に送信する投票用楽曲リスト生成部、カラオケ演奏を行う演奏処理部、歌唱動画を生成し、サーバ装置にストリーミング送信する転送部、投票用楽曲リストに含まれる楽曲の中から、次の楽曲を決定する決定部を有し、視聴者端末が、歌唱動画を表示手段に表示させる第１の表示制御部、投票用楽曲リストを表示手段に表示させる第２の表示制御部、投票情報をサーバ装置に送信する投票部を有し、サーバ装置が、楽曲リストを公開する公開部、歌唱動画をライブ配信する配信部、投票結果を算出し、カラオケ装置に送信する集計部を有する、カラオケシステム。【選択図】図１
2020134900.tif 000002
【特許請求の範囲】
【請求項１】
カラオケ装置と、歌唱動画を視聴する視聴者が操作する複数の視聴者端末と、当該カラオケ装置及び当該視聴者端末と通信可能なサーバ装置と、を含むカラオケシステムであって、
前記カラオケ装置は、
カラオケ歌唱を行う複数の楽曲により構成されたセットリストからカラオケ演奏を行う楽曲を削除することにより、当該セットリストを更新した投票用楽曲リストを生成し、前記サーバ装置に送信する投票用楽曲リスト生成部と、
楽曲の演奏データに基づいてカラオケ演奏を行う演奏処理部と、
前記演奏処理部が行うカラオケ演奏の演奏音と、集音手段により集音されたカラオケ歌唱の歌唱音声と、カラオケ歌唱を行う歌唱者を撮影手段により撮影して得られる動画像とに基づいて歌唱動画を生成し、前記サーバ装置にストリーミング送信する転送部と、
前記サーバ装置から受信した投票結果に基づいて、前記投票用楽曲リストに含まれる楽曲の中から、前記演奏処理部がカラオケ演奏する次の楽曲を決定する決定部と、
を有し、
前記視聴者端末は、
前記サーバ装置がライブ配信する前記歌唱動画を表示手段に表示させる第１の表示制御部と、
前記サーバ装置が公開した投票用楽曲リストを前記表示手段に表示させる第２の表示制御部と、
前記投票用楽曲リストに含まれる楽曲のうち、前記歌唱者にカラオケ歌唱を行って欲しい楽曲として前記視聴者が選択した楽曲を示す投票情報を前記サーバ装置に送信する投票部と、
を有し、
前記サーバ装置は、
前記カラオケ装置から受信した前記投票用楽曲リストを公開する公開部と、
前記カラオケ装置がストリーミング送信中の前記歌唱動画を前記視聴者端末にライブ配信する配信部と、
複数の前記視聴者端末から送信され、前記サーバ装置の記憶手段に記憶された前記投票情報を集計して前記投票結果を算出し、前記カラオケ装置に送信する集計部と、
を有するカラオケシステム。
【請求項２】
前記カラオケ装置は、カラオケ演奏中の楽曲の演奏時間の残りが所定時間に達したことを契機として、前記集計部に対し、前記投票情報の集計を指示することを特徴とする請求項１記載のカラオケシステム。
【請求項３】
前記集計部は、前記投票情報の集計を行った後、前記サーバ装置の記憶手段に記憶されている当該投票情報を消去することを特徴とする請求項１または２記載のカラオケシステム。
【請求項４】
前記演奏処理部は、前記セットリストに含まれる全ての楽曲のカラオケ演奏を行うことを特徴とする請求項１から３のいずれか一つに記載のカラオケシステム。
【請求項５】
前記演奏処理部は、前記歌唱者からの操作入力に基づいて楽曲のカラオケ演奏を開始し、前記カラオケ演奏を行うことを決定した次の楽曲のカラオケ演奏が、設定された配信時間中または配信終了時刻までに終了できない場合には、当該次の楽曲のカラオケ演奏を行わないことを特徴とする請求項１から４のいずれか一つに記載のカラオケシステム。
【発明の詳細な説明】
【技術分野】
【０００１】
本発明はカラオケシステムに関する。
【背景技術】
【０００２】
スマートフォンのような利用者端末を利用し、誰でも気軽にライブ配信を行うことができるサービスやプラットフォーム（以下、ライブ配信サービス）が普及している。このようなライブ配信サービスの中には、カラオケ用の音源を利用できるものも存在する（非特許文献１及び２参照）。
【０００３】
ライブ配信サービスの利用者は、自己の利用者端末から放音される演奏音に合わせてカラオケ歌唱を行いながら、自らがカラオケ歌唱する姿を利用者端末で撮影する。利用者端末は、撮影された動画像を用いて歌唱動画を生成し、サーバ装置にストリーミング送信する。一方、他の利用者は、自らの利用者端末を用いてサーバ装置にアクセスすることにより、ストリーミング送信されている歌唱動画を自由に視聴することができる。
【０００４】
この際、カラオケ歌唱を行った利用者は、歌唱動画を視聴した視聴者からのコメントやギフト（ライブ配信サービス内で使用可能な仮想通貨等）の受信に対応しながら、楽曲の予約やカラオケ歌唱を行う必要があり煩雑である。一方、カラオケ歌唱を行った利用者は、視聴者を増やすために、自らがカラオケ歌唱でき、且つ視聴者の要望に沿った楽曲を選曲する必要がある。
【０００５】
特許文献１には、不特定の利用者に対して歌唱してもらいたい楽曲をリクエスト曲として報知するカラオケシステムが開示されている。
【先行技術文献】
【特許文献】
【０００６】
【特許文献１】特開２００９−１７５５１５号公報
【非特許文献】
【０００７】
【非特許文献１】「ＳＨＯＷＲＯＯＭ」、株式会社第一興商、ＳＨＯＷＲＯＯＭ株式会社、［平成３１年２月１０日検索］、インターネット、＜ＵＲＬ：https://prtimes.jp/main/html/rd/p/000000434.000014607.html＞
【０００８】
【非特許文献２】「ＬＩＮＥ  ＬＩＶＥ」、株式会社エクシング、ＬＩＮＥ株式会社、［平成３１年２月１０日検索］、インターネット、＜ＵＲＬ：https://prtimes.jp/main/html/rd/p/000001318.000001594.html＞
【発明の概要】
【発明が解決しようとする課題】
【０００９】
ところで、ライブ配信される歌唱動画の視聴者は不特定多数且つ流動的である。特許文献１に記載されている技術では、そのような視聴者が聴きたいと思う楽曲を容易に決定することは困難である。
【００１０】
また、利用者の中には、利用者端末ではなく、カラオケ装置を使ってカラオケ歌唱を行いたいと考えるものもいる。
【００１１】
本発明の目的は、カラオケ装置を利用して歌唱動画をライブ配信する際に、視聴者が聴きたい楽曲を容易に決定することが可能なカラオケシステムを提供することにある。
【課題を解決するための手段】
【００１２】
上記目的を達成するための一の発明は、カラオケ装置と、歌唱動画を視聴する視聴者が操作する複数の視聴者端末と、当該カラオケ装置及び当該視聴者端末と通信可能なサーバ装置と、を含むカラオケシステムであって、前記カラオケ装置は、カラオケ歌唱を行う複数の楽曲により構成されたセットリストからカラオケ演奏を行う楽曲を削除することにより、当該セットリストを更新した投票用楽曲リストを生成し、前記サーバ装置に送信する投票用楽曲リスト生成部と、楽曲の演奏データに基づいてカラオケ演奏を行う演奏処理部と、前記演奏処理部が行うカラオケ演奏の演奏音と、集音手段により集音されたカラオケ歌唱の歌唱音声と、カラオケ歌唱を行う歌唱者を撮影手段により撮影して得られる動画像とに基づいて歌唱動画を生成し、前記サーバ装置にストリーミング送信する転送部と、前記サーバ装置から受信した投票結果に基づいて、前記投票用楽曲リストに含まれる楽曲の中から、前記演奏処理部がカラオケ演奏する次の楽曲を決定する決定部と、を有し、前記視聴者端末は、前記サーバ装置がライブ配信する前記歌唱動画を表示手段に表示させる第１の表示制御部と、前記サーバ装置が公開した投票用楽曲リストを前記表示手段に表示させる第２の表示制御部と、前記投票用楽曲リストに含まれる楽曲のうち、前記歌唱者にカラオケ歌唱を行って欲しい楽曲として前記視聴者が選択した楽曲を示す投票情報を前記サーバ装置に送信する投票部と、を有し、前記サーバ装置は、前記カラオケ装置から受信した前記投票用楽曲リストを公開する公開部と、前記カラオケ装置がストリーミング送信中の前記歌唱動画を前記視聴者端末にライブ配信する配信部と、複数の前記視聴者端末から送信され、前記サーバ装置の記憶手段に記憶された前記投票情報を集計して前記投票結果を算出し、前記カラオケ装置に送信する集計部と、を有するカラオケシステムである。
本発明の他の特徴については、後述する明細書及び図面の記載により明らかにする。
【発明の効果】
【００１３】
本発明によれば、カラオケ装置を利用して歌唱動画をライブ配信する際に、視聴者が聴きたい楽曲を容易に決定することができる。
【図面の簡単な説明】
【００１４】
【図１】第１実施形態に係るカラオケシステムの概略を示す図である。
【図２】第１実施形態に係るカラオケ装置を示す図である。
【図３】第１実施形態に係るカラオケ装置を示す図である。
【図４】第１実施形態に係る視聴者端末を示す図である。
【図５】第１実施形態に係るサーバ装置を示す図である。
【図６Ａ】第１実施形態に係るカラオケシステムの処理を示すフローチャートである。
【図６Ｂ】第１実施形態に係るカラオケシステムの処理を示すフローチャートである。
【図７】第１実施形態に係るライブ配信のタイムテーブルを示す図である。
【図８】第２実施形態に係るライブ配信のタイムテーブルを示す図である。
【発明を実施するための形態】
【００１５】
＜第１実施形態＞
図１〜図７を参照して、第１実施形態に係るカラオケシステムについて説明する。
【００１６】
＝＝カラオケシステム＝＝
カラオケシステム１は、歌唱動画をライブ配信するためのシステムである。歌唱動画は、カラオケ歌唱を行う歌唱者を撮影して得られた動画像に、カラオケ演奏の演奏音及び歌唱音声を合成したものである。図１に示すように、本実施形態に係るカラオケシステム１は、カラオケ装置Ｋ、複数の視聴者端末Ｍ２〜Ｍｎ、及びサーバ装置Ｓを備える。
【００１７】
カラオケ装置Ｋは、カラオケ演奏及び歌唱者がカラオケ歌唱を行うための装置である。また、本実施形態に係るカラオケ装置Ｋは、サーバ装置Ｓに対し、歌唱動画をストリーミング送信することができる（詳細は後述）。
【００１８】
視聴者端末は、カラオケシステム１で配信される歌唱動画を視聴する視聴者が所有するスマートフォンやパーソナルコンピュータである。本実施形態に係る視聴者端末には、ライブ配信される歌唱動画を視聴するための専用アプリケーションソフトウェア（以下、「ライブ視聴アプリ」）がインストールされている。ライブ視聴アプリは、サーバ装置Ｓや、サーバ装置Ｓが提供するＷｅｂサイトからダウンロードすることで入手できる。
【００１９】
図１の例によると、カラオケ装置Ｋは、利用者Ｕ１が行っているカラオケ歌唱に基づく歌唱動画をサーバ装置Ｓにストリーミング送信する。不特定多数の利用者Ｕ２〜利用者Ｕｎは、自己の視聴者端末Ｍ２〜視聴者端末Ｍｎにより、サーバ装置Ｓがライブ配信する歌唱動画を視聴する。すなわち、利用者Ｕ１は「歌唱者」に相当し、利用者Ｕ２〜利用者Ｕｎは「視聴者」に相当する。
【００２０】
サーバ装置Ｓは、各種情報や各視聴者端末から送信される情報を管理したり、各利用者端末に対して歌唱動画をライブ配信するコンピュータである。
【００２１】
＝＝カラオケ装置＝＝
カラオケ装置Ｋは、楽曲のカラオケ演奏、及び利用者がカラオケ歌唱を行うための装置である。図２に示すように、カラオケ装置Ｋは、カラオケ本体１０、スピーカ２０、表示装置３０、マイク４０、リモコン装置５０、及びカメラ６０を備える。
【００２２】
カラオケ本体１０は、選曲された楽曲の演奏制御、歌詞や背景映像等の表示制御、マイク４０を通じて入力された音声信号の処理といった、カラオケ演奏やカラオケ歌唱に関する各種の制御を行う。スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の歌唱音声をアナログの音声信号に変換してカラオケ本体１０に入力するための構成である。リモコン装置５０は、カラオケ本体１０に対する各種操作をおこなうための装置である。カメラ６０は、カラオケ歌唱を行う歌唱者を撮影するための構成である。マイク４０は「集音手段」の一例であり、カメラ６０は「撮影手段」の一例である。
【００２３】
図３に示すように、本実施形態に係るカラオケ本体１０は、記憶手段１０ａ、通信手段１０ｂ、入力手段１０ｃ、及び制御手段１０ｄを備える。各構成はインターフェース（図示なし）を介してバスＢに接続されている。
【００２４】
［記憶手段］
記憶手段１０ａは、各種のデータを記憶する大容量の記憶装置であり、たとえばハードディスクドライブなどである。記憶手段１０ａは、カラオケ装置Ｋによりカラオケ演奏を行うための複数の楽曲データを記憶する。
【００２５】
楽曲データは、個々のカラオケ楽曲を特定するための楽曲識別情報が付与されている。楽曲識別情報は、楽曲を識別するための楽曲ＩＤ等、各楽曲に固有の情報である。楽曲データは、伴奏データ、リファレンスデータ等を含む。伴奏データは、カラオケ演奏音の元となるＭＩＤＩ形式のデータである。リファレンスデータは、歌唱者によるカラオケ歌唱を採点する際の基準として用いられるデータである。
【００２６】
また、記憶手段１０ａは、カラオケ装置Ｋの装置識別情報を記憶する。装置識別情報は、カラオケ装置を識別するための装置ＩＤ等、各カラオケ装置に固有の情報である。
【００２７】
［通信手段・入力手段］
通信手段１０ｂは、サーバ装置Ｓやリモコン装置５０との通信を行うためのインターフェースを提供する。入力手段１０ｃは、歌唱者が各種の指示入力を行うための構成である。入力手段１０ｃは、カラオケ本体１０に設けられたボタン等である。或いは、リモコン装置５０が入力手段１０ｃとして機能してもよい。
【００２８】
［制御手段］
制御手段１０ｄは、カラオケ装置Ｋにおける各種の制御を行う。制御手段１０ｄは、ＣＰＵおよびメモリ（いずれも図示無し）を備える。ＣＰＵは、メモリに記憶されたプログラムを実行することにより各種の機能を実現する。
【００２９】
本実施形態においてはＣＰＵがメモリに記憶されるプログラムを実行することにより、制御手段１０ｄは、投票用楽曲リスト生成部１００、演奏処理部２００、転送部３００、及び決定部４００として機能する。
【００３０】
（投票用楽曲リスト生成部）
投票用楽曲リスト生成部１００は、セットリストからカラオケ演奏を行う楽曲を削除することにより、当該セットリストを更新した投票用楽曲リストを生成し、サーバ装置Ｓに送信する。
【００３１】
セットリストは、カラオケ歌唱を行う複数の楽曲から構成されている。セットリストに含まれる楽曲は、歌唱者自らが選曲を行った楽曲である。すなわち、歌唱者がカラオケ歌唱できる楽曲である。
【００３２】
たとえば、ライブ配信を行う場合、利用者Ｕ１は、リモコン装置５０を介してカラオケシステム１にログインする。カラオケシステム１にログインすることにより、利用者Ｕ１は、視聴者からのコメント等（後述）を受け取ることが可能となる。
【００３３】
その後、利用者Ｕ１は、表示装置３０に表示されるライブ配信用のセットリスト作成画面において、カラオケ歌唱を行いたい楽曲を複数選択する。投票用楽曲リスト生成部１００は、選択された複数の楽曲をまとめた一つのセットリストを生成する。セットリストには、たとえば、利用者Ｕ１が選曲した楽曲名や楽曲ＩＤが含まれる。
【００３４】
投票用楽曲リストは、歌唱者が選択した楽曲から構成されるセットリストの中から、既に演奏することが決定した楽曲を削除したものである。
【００３５】
たとえば、利用者Ｕ１により選択された楽曲Ｘ１〜楽曲Ｘ５がセットリストに含まれているとする。カラオケ装置Ｋは、セットリストの最初に登録されている楽曲Ｘ１からカラオケ演奏を行う。
【００３６】
楽曲Ｘ１のカラオケ演奏を行う場合、投票用楽曲リスト生成部１００は、セットリストから楽曲Ｘ１を削除することによりセットリストを更新する。その結果、楽曲Ｘ２〜楽曲Ｘ５を含む投票用楽曲リストが生成される。投票用楽曲リスト生成部１００は、通信手段１０ｂを介し、更新したセットリスト（すなわち投票用楽曲リスト）を、カラオケ装置Ｋを識別するための装置識別情報と併せてサーバ装置Ｓに送信する。投票用楽曲リスト生成部１００は、セットリストが更新される都度、サーバ装置Ｓに最新の投票用楽曲リストを送信する。
【００３７】
（演奏処理部）
演奏処理部２００は、楽曲の演奏データに基づいてカラオケ演奏を行う。具体的に、演奏処理部２００は、記憶手段１０ａから演奏データを読み出し、当該演奏データに基づいて演奏音を生成し、スピーカ２０から放音させる。
【００３８】
利用者Ｕ１は、演奏音に併せてカラオケ歌唱を行う。マイク４０は、利用者Ｕ１のカラオケ歌唱による歌唱音声を集音する。また、カメラ６０は、少なくとも利用者Ｕ１がカラオケ歌唱を行っている間、利用者Ｕ１の姿（具体的には顔や上半身）を撮影する。
【００３９】
なお、一般に、カラオケ歌唱が可能な楽曲には、演奏データと併せて、楽曲の歌詞を表示させるための歌詞テロップデータが準備されている。この場合、演奏処理部２００は、歌詞テロップデータに基づいて歌詞を生成し、演奏音と同期して表示装置３０に歌詞を表示させることができる。
【００４０】
また、本実施形態における演奏処理部２００は、セットリストに含まれる全ての楽曲のカラオケ演奏を行う。たとえば、セットリストに楽曲Ｘ１〜楽曲Ｘ５が含まれる場合、演奏処理部２００は、投票結果（後述）に基づいて、楽曲Ｘ１〜楽曲Ｘ５のカラオケ演奏を順次行う。
【００４１】
（転送部）
転送部３００は、演奏処理部２００が行うカラオケ演奏の演奏音と、マイク４０により集音されたカラオケ歌唱の歌唱音声と、カメラ６０によりカラオケ歌唱を行う歌唱者を撮影して得られる動画像とに基づいて歌唱動画を生成し、サーバ装置Ｓにストリーミング送信する。
【００４２】
転送部３００は、演奏音、歌唱音声、及び歌唱者の動画像を合成し、歌唱動画を生成する。各音声と動画像の合成は、公知の手法を用いることができる。転送部３００は、通信手段１０ｂを介し、生成する歌唱動画を順次サーバ装置Ｓにストリーミング送信する。
【００４３】
（決定部）
決定部４００は、サーバ装置Ｓから受信した投票結果に基づいて、投票用楽曲リストに含まれる楽曲の中から、演奏処理部２００がカラオケ演奏する次の楽曲を決定する。
【００４４】
投票結果は、投票用楽曲リストに含まれる楽曲のうち、歌唱者にカラオケ歌唱を行って欲しい楽曲として視聴者が選択した楽曲を示す投票情報を集計したものである（詳細は後述）。
【００４５】
たとえば、上記例で投票用楽曲リストに含まれる楽曲Ｘ２〜楽曲Ｘ５のうち、投票結果として楽曲Ｘ４が選ばれたとする。この場合、決定部４００は、サーバ装置Ｓから受信した楽曲Ｘ４を特定するための情報（たとえば楽曲ＩＤ）に基づいて、演奏処理部２００がカラオケ演奏する次の楽曲として楽曲Ｘ４を決定する。
【００４６】
＝＝視聴者端末＝＝
図４を参照して、視聴者端末の構成について説明する。以下、視聴者端末として、図１における利用者端末Ｍ２を例に説明する。なお、利用者端末Ｍ３〜利用者端末Ｍｎも同様の構成を有する。
【００４７】
図４に示すように、利用者端末Ｍ２は、記憶手段７０、通信手段７１、表示手段７２、入力手段７３、放音手段７４、及び制御手段７５を備える。各構成はインターフェース（図示なし）を介してバスＢに接続されている。
【００４８】
記憶手段７０は、各種のデータを記憶する大容量の記憶装置である。通信手段７１は、サーバ装置Ｓとの通信を行うためのインターフェースを提供する。表示手段７２は、各種情報を表示させるディスプレイである。入力手段７３は、利用者が各種指示入力を行うための構成である。なお、一般的なスマートフォンでは、表示手段７２がタッチパネル形式で構成されており、入力手段７３として機能する。放音手段７４は、音声を放音するためのイヤホン等である。制御手段７５は、利用者端末Ｍ２の各種制御を行う。
【００４９】
ここで、ライブ視聴アプリを起動した場合、制御手段７５は、第１の表示制御部７５ａ、第２の表示制御部７５ｂ、及び投票部７５ｃとして機能する。
【００５０】
（第１の表示制御部）
第１の表示制御部７５ａは、サーバ装置Ｓがライブ配信する歌唱動画を表示手段７２に表示させる。
【００５１】
たとえば、利用者Ｕ２は、表示手段７２に表示される検索画面で視聴したい歌唱動画を選択する。利用者Ｕ１がストリーミング送信中の歌唱動画を選択した場合、第１の表示制御部７５ａは、サーバ装置Ｓにアクセスし、利用者Ｕ１がストリーミング送信中の歌唱動画のライブ配信を受け、表示手段７２に表示させる。よって、利用者Ｕ２は利用者Ｕ１がストリーミング送信中の歌唱動画を視聴することができる。また、歌唱動画を視聴する利用者Ｕ２は、入力手段７３を用いてコメントを入力したり、利用者Ｕ１に対してギフトを提供することができる。
【００５２】
（第２の表示制御部）
第２の表示制御部７５ｂは、サーバ装置Ｓが公開した投票用楽曲リストを表示手段７２に表示させる。
【００５３】
たとえば、利用者Ｕ１がストリーミング送信中の歌唱動画を利用者Ｕ２が視聴している場合、第２の表示制御部７５ｂは、利用者Ｕ１の投票用楽曲リストを利用者端末Ｍ２の表示手段７２に表示させる。表示手段７２への表示は、音声出力はそのままで歌唱動画と投票用楽曲リストを切替えて表示してもよいし、画面を分割して歌唱動画と投票用楽曲リストを同時に表示してもよい。
【００５４】
（投票部）
投票部７５ｃは、投票用楽曲リストに含まれる楽曲のうち、歌唱者にカラオケ歌唱を行って欲しい楽曲として視聴者が選択した楽曲を示す投票情報をサーバ装置Ｓに送信する。
【００５５】
投票情報は、たとえば楽曲名や楽曲識別情報である。表示手段７２に表示された投票用楽曲リストを確認した視聴者は、次に歌唱動画を視聴したい楽曲を選択することができる。具体的に、視聴者は、入力手段７３により、表示手段７２に表示された投票用楽曲リストの中から、任意の楽曲を選択する。この選択を受けて、投票部７５ｃは、当該楽曲の楽曲識別情報を投票情報としてサーバ装置Ｓに送信する。
【００５６】
なお、投票部７５ｃは、一度に複数の楽曲の選択を受け付けてもよいし、逆に、一の視聴者毎に選択できる回数を制限してもよい。
【００５７】
＝＝サーバ装置＝＝
図５に示すように、サーバ装置Ｓは、記憶手段８０、通信手段８１、及び制御手段８２を備える。各構成はインターフェース（図示なし）を介してバスＢに接続されている。
【００５８】
記憶手段８０は、各種のデータを記憶する大容量の記憶装置である。通信手段８１は、各視聴者端末との通信を行うためのインターフェースを提供する。
【００５９】
制御手段８２は、サーバ装置Ｓにおける各種の制御を行う。図５に示すように、本実施形態に係る制御手段８２は、公開部８２ａ、配信部８２ｂ、及び集計部８２ｃとして機能する。
【００６０】
［公開部］
公開部８２ａは、カラオケ装置Ｋから受信した投票用楽曲リストを公開する。
【００６１】
たとえば上記例において、カラオケ装置Ｋから楽曲Ｘ２〜楽曲Ｘ５を含む投票用楽曲リストが送信されたとする。この場合、公開部８２ａは、受信した投票用楽曲リストを視聴者に対して公開する。
【００６２】
視聴者は、投票用楽曲リストを参照し、次にカラオケ歌唱をして欲しい楽曲を選択する。視聴者端末の投票部７５ｃは、選択された楽曲の楽曲識別情報を投票情報としてサーバ装置Ｓに送信する。
【００６３】
［配信部］
配信部８２ｂは、カラオケ装置Ｋがストリーミング送信中の歌唱動画を視聴者端末にライブ配信する。
【００６４】
歌唱動画をライブ配信する方法は公知の手法を利用することができる。たとえば、上記例で述べたように、利用者Ｕ１が利用するカラオケ装置Ｋからストリーミング送信されている歌唱動画を利用者Ｕ２が選択したとする。この場合、配信部８２ｂは、利用者Ｕ２が操作する利用者端末Ｍ２に対し、利用者Ｕ１がストリーミング送信中の歌唱動画のライブ配信を行う。
【００６５】
［集計部］
集計部８２ｃは、複数の視聴者端末から送信され、サーバ装置Ｓの記憶手段８０に記憶された投票情報を集計して投票結果を算出し、カラオケ装置Ｋに送信する。
【００６６】
投票情報の集計は、投票用楽曲リストに含まれる楽曲毎に投票情報の数を合計することにより行う。集計部８２ｃは、集計を開始するまで、受信した投票情報を記憶手段８０に記憶しておく。なお、投票情報の受信開始は、たとえば投票用楽曲リストの公開と同時のタイミングで行う。
【００６７】
具体例として、利用者Ｕ１が利用するカラオケ装置Ｋからストリーミング送信されている楽曲Ｘ１の歌唱動画を視聴している利用者Ｕ２〜利用者Ｕｎが、投票用楽曲リストに含まれる楽曲Ｘ２〜楽曲Ｘ５に対して投票を行ったとする。この場合、集計部８２ｃは、楽曲Ｘ２〜楽曲Ｘ５それぞれについて投票情報の数を合計し、投票結果を算出する。
【００６８】
なお、集計は、カラオケ装置Ｋからの指示に基づいて開始される。具体的に、カラオケ装置Ｋは、カラオケ演奏中の楽曲の演奏時間の残りが所定時間に達したことを契機として、集計部８２ｃに対し、投票情報の集計を指示する。集計部８２ｃは、当該指示に基づいて投票情報の集計を開始する。
【００６９】
所定時間は、投票情報の集計を開始する時点を規定するための時間であり、予め任意の時間（たとえば、楽曲の演奏終了時刻の５秒前）が設定されている。なお、集計部８２ｃは、集計の開始以降に受信した投票情報は無効とするか、投票情報の受信を中止することができる。
【００７０】
また、集計部８２ｃは、投票情報の集計を行った後、サーバ装置Ｓの記憶手段８０に記憶されている当該投票情報を消去してもよい。たとえば、集計結果を出力した後、集計部８２ｃは、その集計に利用した投票情報を記憶手段８０から消去する。一方、視聴者数が少ない場合等には、投票情報の数も少なくなる。このような場合、集計部８２ｃは、記憶手段８０に記憶されている投票情報を削除しなくともよい。
【００７１】
集計部８２ｃは、集計が完了した後、カラオケ装置Ｋに投票結果を送信する。送信される投票結果は、投票用楽曲リストに含まれる全ての楽曲ＩＤ及び投票数であってもよいし、最も投票数の多かった楽曲の楽曲ＩＤのみであってもよい。
【００７２】
＝＝カラオケシステムにおける処理について＝＝
次に、図６Ａ及び図６Ｂを参照して本実施形態に係るカラオケシステム１における処理について述べる。図６Ａ及び図６Ｂは、カラオケシステム１における処理を示すフローチャートである。この例では、楽曲Ｘ１を含む複数の楽曲で構成されるセットリストが予め生成されているとする。歌唱者は、セットリストの中から最初に楽曲Ｘ１のカラオケ歌唱を行うとする。また、カラオケ装置Ｋからストリーミング送信されている歌唱動画を複数の視聴者で視聴するものとする。更に、この例では、投票用楽曲リストに含まれる楽曲の中から、次の楽曲が決定されるまでの処理について説明を行う。
【００７３】
カラオケ装置Ｋの投票用楽曲リスト生成部１００は、セットリストから楽曲Ｘ１を削除した投票用楽曲リストを生成し、サーバ装置Ｓに送信する（投票用楽曲リストを送信。ステップ１０）。
【００７４】
サーバ装置Ｓの公開部８２ａは、ステップ１０で送信された投票用楽曲リストを公開する（投票用楽曲リストを公開。ステップ１１）。
【００７５】
一方、カラオケ装置Ｋの演奏処理部２００は、楽曲の演奏データに基づいてカラオケ演奏を行う（カラオケ演奏を開始。ステップ１２）。
【００７６】
マイク４０は、カラオケ歌唱の歌唱音声を集音する。また、カメラ６０は、カラオケ歌唱を行う歌唱者を撮影し、動画像を得る。
【００７７】
転送部３００は、カラオケ演奏の演奏音、歌唱音声、及び動画像に基づいて歌唱動画を生成し、サーバ装置Ｓにストリーミング送信する（歌唱動画をストリーミング送信。ステップ１３）。
【００７８】
サーバ装置Ｓの配信部８２ｂは、ストリーミング送信中の歌唱動画を視聴者端末にライブ配信する（歌唱動画をライブ配信。ステップ１４）。
【００７９】
各視聴者端末の第１の表示制御部７５ａは、ライブ配信中の歌唱動画を表示手段１２に表示させる（歌唱動画を表示。ステップ１５）。視聴者は、歌唱者の歌唱動画を視聴することができる。
【００８０】
また、各視聴者端末の第２の表示制御部７５ｂは、サーバ装置Ｓが公開している投票用楽曲リストを表示手段１２に表示させる（投票用楽曲リストを表示。ステップ１６）。視聴者は、自己の視聴者端末を介し、投票用楽曲リストの中から、次に歌唱者にカラオケ歌唱を行って欲しい楽曲を選択する。
【００８１】
投票部７５ｃは、視聴者の選択に基づいて、投票情報をサーバ装置Ｓに送信する（投票情報を送信。ステップ１７）。集計部８２ｃは、集計を開始するまで、受信した投票情報を記憶手段２０に記憶する。
【００８２】
カラオケ演奏中の楽曲の演奏時間の残りが所定時間に達したことを契機として、カラオケ装置Ｋは、投票情報の集計を指示する（投票情報の集計を指示。ステップ１８）
【００８３】
集計部８２ｃは、各視聴者端末から送信された投票情報を集計して投票結果を算出する（投票結果を算出。ステップ１９）。その後、集計部８２ｃは、ステップ１９で算出した投票結果をカラオケ装置Ｋに送信する（投票結果を送信。ステップ２０）。
【００８４】
決定部４００は、サーバ装置Ｓから受信した投票結果に基づいて、投票用楽曲リストに含まれる楽曲の中から、演奏処理部２００がカラオケ演奏する次の楽曲を決定する（次の楽曲を決定。ステップ２１）。
【００８５】
＝＝カラオケシステムにおける処理の具体例＝＝
ここで、カラオケシステム１における処理をより具体的に説明する。この例では、カラオケ装置Ｋの投票用楽曲リスト生成部１００が、楽曲Ｘ１〜楽曲Ｘ５を含むセットリストＬ０を生成したとする。また、カラオケ装置Ｋは、カラオケ演奏中の楽曲の演奏時間の残りが所定時間に達したことを契機として、投票情報の集計を開始するよう集計部８２ｃに指示するものとする。集計部８２ｃは、当該指示に基づいて投票情報の集計を行うものとする。更に、集計部８２ｃは、投票情報の集計を行った後、サーバ装置Ｓの記憶手段８０に記憶されている当該投票情報を消去するものとする。
【００８６】
カラオケ装置Ｋは、セットリストＬ０の先頭に置かれた楽曲Ｘ１をカラオケ演奏の１曲目とする。
【００８７】
投票用楽曲リスト生成部１００は、セットリストＬ０から楽曲Ｘ１を削除することによりセットリストを更新し、投票用楽曲リストＬ１をサーバ装置Ｓに送信する。投票用楽曲リストＬ１には、楽曲Ｘ２〜楽曲Ｘ５が含まれている。サーバ装置Ｓの公開部８２ａは、投票用楽曲リストＬ１を公開し、投票情報の受付を開始する。
【００８８】
一方、演奏処理部２００は、楽曲Ｘ１の演奏データを記憶手段１０ａから読み出し、カラオケ演奏を開始する。歌唱者は、カラオケ演奏に合わせてカラオケ歌唱を行う。
【００８９】
カラオケ装置Ｋの転送部３００は、楽曲Ｘ１のカラオケ演奏の演奏音、歌唱者の歌唱音声、及び歌唱者を撮影して得られる動画像に基づいて歌唱動画Ｖ１を生成し、サーバ装置Ｓにストリーミング送信する。
【００９０】
この際、転送部３００は、楽曲Ｘ１のカラオケ演奏を開始した時刻（演奏開始時刻）を記憶する。図７に示したように、この例において、楽曲Ｘ１の演奏開始時刻は、１２：１５：００である。
【００９１】
配信部８２ｂは、ストリーミング送信されている歌唱動画Ｖ１を視聴者端末にライブ配信する。視聴者は、視聴者端末を介して、歌唱動画Ｖ１を視聴する。
【００９２】
また、視聴者は、視聴者端末を介して、公開されている投票用楽曲リストＬ１を閲覧する。視聴者は、視聴者端末を介して、投票用楽曲リストＬ１に含まれる楽曲Ｘ２〜楽曲Ｘ５のうち、歌唱者にカラオケ歌唱を行って欲しい楽曲を選択する。各視聴者端末の投票部７５ｃは、選択された楽曲を示す投票情報をサーバ装置Ｓに送信する。サーバ装置Ｓの記憶手段８０は、受信した投票情報を記憶する。
【００９３】
カラオケ装置Ｋは、カラオケ演奏中の楽曲Ｘ１の演奏時間（０４：５５）の残りが所定時間に達したことを契機として、集計部８２ｃに対し、投票情報の集計を指示する。この例では、所定時間を「５秒」であるとする。すなわち、カラオケ装置Ｋは、１２：１９：５０となったことを契機として、投票情報の集計を指示する。集計部８２ｃは、それまでに各視聴者端末から送信された投票情報を集計して投票結果を算出する。
【００９４】
ここで、投票結果が楽曲Ｘ２：３０００票、楽曲Ｘ３：２５００票、楽曲Ｘ４：５０００票、楽曲Ｘ５：１０００票であったとする。
【００９５】
集計部８２ｃは、投票用楽曲リストＬ１に含まれる楽曲の中から、投票数が最も多い楽曲Ｘ４の楽曲ＩＤをカラオケ装置Ｋに送信する。決定部４００は、投票用楽曲リストＬ１に含まれる楽曲の中から、楽曲Ｘ４を次にカラオケ演奏する楽曲として決定する。
【００９６】
集計部８２ｃは、集計時点で記憶手段８０に記憶されている投票情報を消去し、投票情報の受付を一旦中断する。また、カラオケ装置Ｋの演奏処理部２００は、楽曲Ｘ１のカラオケ演奏を終了する（演奏終了時刻は１２：１９：５５。図７参照）。転送部３００は、歌唱動画Ｖ１のサーバ装置Ｓへのストリーミング送信を終了する。サーバ装置Ｓの配信部８２ｂは、歌唱動画Ｖ１のライブ配信を終了する。視聴者は、歌唱動画Ｖ１の視聴を終了する。
【００９７】
投票用楽曲リスト生成部１００は、セットリストＬ０からカラオケ演奏を行った楽曲Ｘ１及び次にカラオケ演奏する楽曲に決定した楽曲Ｘ４を削除することによりセットリストを更新し、投票用楽曲リストＬ２を生成する。公開部８２ａは、投票用楽曲リストＬ２を公開し、投票情報の受付を再開する。投票用楽曲リストＬ２には、楽曲Ｘ２、楽曲Ｘ３、及び楽曲Ｘ５が含まれている。
【００９８】
カラオケ装置Ｋの演奏処理部２００は、受信した楽曲Ｘ４の楽曲ＩＤに基づいて演奏データを読み出し、カラオケ演奏を開始する。歌唱者は、カラオケ演奏に合わせてカラオケ歌唱を行う。
【００９９】
カラオケ装置Ｋの転送部３００は、楽曲Ｘ４のカラオケ演奏の演奏音、歌唱者の歌唱音声、及び歌唱者を撮影して得られる動画像に基づいて歌唱動画Ｖ２を生成し、サーバ装置Ｓにストリーミング送信する。
【０１００】
この際、転送部３００は、楽曲Ｘ４のカラオケ演奏を開始した時刻（演奏開始時刻）を記憶する。図７に示したように、この例において、楽曲Ｘ４の演奏開始時刻は、１２：２０：００である。
【０１０１】
配信部８２ｂは、ストリーミング送信されている歌唱動画Ｖ２を視聴者端末にライブ配信する。視聴者は、視聴者端末を介して、歌唱動画Ｖ２を視聴する。
【０１０２】
また、視聴者は、視聴者端末を介して、公開されている投票用楽曲リストＬ２を閲覧する。視聴者は、視聴者端末を介して、投票用楽曲リストＬ２に含まれる楽曲Ｘ２、楽曲Ｘ３、及び楽曲Ｘ５のうち、歌唱者にカラオケ歌唱を行って欲しい楽曲を選択する。各視聴者端末の投票部７５ｃは、選択された楽曲を示す投票情報をサーバ装置Ｓに送信する。サーバ装置Ｓの記憶手段８０は、受信した投票情報を記憶する。
【０１０３】
カラオケ装置Ｋは、カラオケ演奏中の楽曲Ｘ４の演奏時間（０５：５５）の残りが所定時間に達したことを契機として、集計部８２ｃに対し、投票情報の集計を指示する。すなわち、カラオケ装置Ｋは、１２：２５：５０となったことを契機として、投票情報の集計を指示する。集計部８２ｃは、それまでに各視聴者端末から送信された投票情報を集計して投票結果を算出する。
【０１０４】
ここで、投票結果が楽曲Ｘ２：２０００票、楽曲Ｘ３：３０００票、楽曲Ｘ５：２５００票であったとする。
【０１０５】
集計部８２ｃは、投票用楽曲リストＬ２に含まれる楽曲の中から、投票数が最も多い楽曲Ｘ３の楽曲ＩＤをカラオケ装置Ｋに送信する。決定部４００は、投票用楽曲リストＬ２に含まれる楽曲の中から、楽曲Ｘ３を次にカラオケ演奏する楽曲として決定する。
【０１０６】
集計部８２ｃは、集計時点で記憶手段８０に記憶されている投票情報を消去し、投票情報の受付を一旦中断する。また、カラオケ装置Ｋの演奏処理部２００は、楽曲Ｘ４のカラオケ演奏を終了する（演奏終了時刻は１２：２５：５５。図７参照）。転送部３００は、歌唱動画Ｖ２のサーバ装置Ｓへのストリーミング送信を終了する。サーバ装置Ｓの配信部８２ｂは、歌唱動画Ｖ２のライブ配信を終了する。視聴者は、歌唱動画Ｖ２の視聴を終了する。
【０１０７】
投票用楽曲リスト生成部１００は、セットリストＬ０からカラオケ演奏を行った楽曲Ｘ１、楽曲Ｘ４、及び次にカラオケ演奏する楽曲に決定した楽曲Ｘ３を削除することによりセットリストを更新し、投票用楽曲リストＬ３を生成する。公開部８２ａは、投票用楽曲リストＬ３を公開し、投票情報の受付を再開する。投票用楽曲リストＬ３には、楽曲Ｘ２及び楽曲Ｘ５が含まれている。
【０１０８】
カラオケ装置Ｋの演奏処理部２００は、受信した楽曲Ｘ３の楽曲ＩＤに基づいて演奏データを読み出し、カラオケ演奏を開始する。歌唱者は、カラオケ演奏に合わせてカラオケ歌唱を行う。
【０１０９】
カラオケ装置Ｋの転送部３００は、楽曲Ｘ３のカラオケ演奏の演奏音、歌唱者の歌唱音声、及び歌唱者を撮影して得られる動画像に基づいて歌唱動画Ｖ３を生成し、サーバ装置Ｓにストリーミング送信する。
【０１１０】
この際、転送部３００は、楽曲Ｘ３のカラオケ演奏を開始した時刻（演奏開始時刻）を記憶する。図７に示したように、この例において、楽曲Ｘ３の演奏開始時刻は、１２：２６：００である。
【０１１１】
配信部８２ｂは、ストリーミング送信されている歌唱動画Ｖ３を視聴者端末にライブ配信する。視聴者は、視聴者端末を介して、歌唱動画Ｖ３を視聴する。
【０１１２】
また、視聴者は、視聴者端末を介して、公開されている投票用楽曲リストＬ３を閲覧する。視聴者は、視聴者端末を介して、投票用楽曲リストＬ３に含まれる楽曲Ｘ２及び楽曲Ｘ５のうち、歌唱者にカラオケ歌唱を行って欲しい楽曲を選択する。各視聴者端末の投票部７５ｃは、選択された楽曲を示す投票情報をサーバ装置Ｓに送信する。サーバ装置Ｓの記憶手段８０は、受信した投票情報を記憶する。
【０１１３】
カラオケ装置Ｋは、カラオケ演奏中の楽曲Ｘ３の演奏時間（０３：５５）の残りが所定時間に達したことを契機として、集計部８２ｃに対し、投票情報の集計を指示する。すなわち、カラオケ装置Ｋは、１２：２９：５０となったことを契機として、投票情報の集計を指示する。集計部８２ｃは、それまでに各視聴者端末から送信された投票情報を集計して投票結果を算出する。
【０１１４】
ここで投票結果が楽曲Ｘ２：１０００票、楽曲Ｘ５：２０００票であったとする。
【０１１５】
集計部８２ｃは、投票用楽曲リストＬ３に含まれる楽曲の中から、投票数が多い方の楽曲Ｘ５の楽曲ＩＤをカラオケ装置Ｋに送信する。決定部４００は、投票用楽曲リストＬ３に含まれる楽曲の中から、楽曲Ｘ５を次にカラオケ演奏する楽曲として決定する。なお、この段階において、セットリストＬ０に含まれる５曲のうち、既に４曲目の楽曲が楽曲Ｘ５として決定されている。よって、これ以降は投票情報の集計処理が不要となる。
【０１１６】
集計部８２ｃは、集計時点で記憶手段８０に記憶されている投票情報を消去し、投票情報の受付を終了する。投票用楽曲リスト生成部１００は、セットリストの更新を終了する。公開部８２ａは、投票用楽曲リストの公開を終了する。また、カラオケ装置Ｋの演奏処理部２００は、楽曲Ｘ３のカラオケ演奏を終了する（演奏終了時刻は１２：２９：５５。図７参照）。転送部３００は、歌唱動画Ｖ３のサーバ装置Ｓへのストリーミング送信を終了する。サーバ装置Ｓの配信部８２ｂは、歌唱動画Ｖ３のライブ配信を終了する。視聴者は、歌唱動画Ｖ３の視聴を終了する。
【０１１７】
その後、カラオケ装置Ｋの演奏処理部２００は、受信した楽曲Ｘ５の楽曲ＩＤに基づいて演奏データを読み出し、カラオケ演奏を開始する。歌唱者は、カラオケ演奏に合わせてカラオケ歌唱を行う。
【０１１８】
カラオケ装置Ｋの転送部３００は、楽曲Ｘ５のカラオケ演奏の演奏音、歌唱者の歌唱音声、及び歌唱者を撮影して得られる動画像に基づいて歌唱動画Ｖ４を生成し、サーバ装置Ｓにストリーミング送信する。なお、この例において、楽曲Ｘ５の演奏開始時刻は、１２：３０：００である。また、楽曲Ｘ５の演奏時間は０４：２５である。
【０１１９】
配信部８２ｂは、ストリーミング送信されている歌唱動画Ｖ４を視聴者端末にライブ配信する。視聴者は、視聴者端末を介して、歌唱動画Ｖ４を視聴する。
【０１２０】
その後、カラオケ装置Ｋの演奏処理部２００は、楽曲Ｘ５のカラオケ演奏を終了する（演奏終了時刻は１２：３４：２５。図７参照）。転送部３００は、歌唱動画Ｖ４のサーバ装置Ｓへのストリーミング送信を終了する。サーバ装置Ｓの配信部８２ｂは、歌唱動画Ｖ４のライブ配信を終了する。視聴者は、歌唱動画Ｖ４の視聴を終了する。
【０１２１】
最後に、カラオケ装置Ｋの演奏処理部２００は、セットリストＬ０に含まれる楽曲のうち、残っている楽曲Ｘ２の演奏データを読み出し、カラオケ演奏を開始する。歌唱者は、カラオケ演奏に合わせてカラオケ歌唱を行う。
【０１２２】
カラオケ装置Ｋの転送部３００は、楽曲Ｘ２のカラオケ演奏の演奏音、歌唱者の歌唱音声、及び歌唱者を撮影して得られる動画像に基づいて歌唱動画Ｖ５を生成し、サーバ装置Ｓにストリーミング送信する。なお、この例において、楽曲Ｘ２の演奏開始時刻は、１２：３４：３０である。また、楽曲Ｘ２の演奏時間は０５：３０である。
【０１２３】
配信部８２ｂは、ストリーミング送信されている歌唱動画Ｖ５を視聴者端末にライブ配信する。視聴者は、視聴者端末を介して、歌唱動画Ｖ５を視聴する。
【０１２４】
その後、カラオケ装置Ｋの演奏処理部２００は、楽曲Ｘ２のカラオケ演奏を終了する（演奏終了時刻は１２：４０：００。図７参照）。転送部３００は、歌唱動画Ｖ５のサーバ装置Ｓへのストリーミング送信を終了する。サーバ装置Ｓの配信部８２ｂは、歌唱動画Ｖ５のライブ配信を終了する。視聴者は、歌唱動画Ｖ５の視聴を終了する。
【０１２５】
以上から明らかなように、本実施形態に係るカラオケシステム１は、カラオケ装置Ｋと、歌唱動画を視聴する視聴者が操作する複数の視聴者端末（利用者端末Ｍ２〜利用者端末Ｍｎ）と、カラオケ装置Ｋ及び視聴者端末と通信可能なサーバ装置Ｓと、を含む。カラオケ装置Ｋは、カラオケ歌唱を行う複数の楽曲により構成されたセットリストからカラオケ演奏を行う楽曲を削除することにより、当該セットリストを更新した投票用楽曲リストを生成し、サーバ装置Ｓに送信する投票用楽曲リスト生成部１００と、楽曲の演奏データに基づいてカラオケ演奏を行う演奏処理部２００と、演奏処理部２００が行うカラオケ演奏の演奏音と、マイク４０により集音されたカラオケ歌唱の歌唱音声と、カラオケ歌唱を行う歌唱者をカメラ６０により撮影して得られる動画像とに基づいて歌唱動画を生成し、サーバ装置Ｓにストリーミング送信する転送部３００と、サーバ装置Ｓから受信した投票結果に基づいて、投票用楽曲リストに含まれる楽曲の中から、演奏処理部２００がカラオケ演奏する次の楽曲を決定する決定部４００と、を有する。視聴者端末は、サーバ装置Ｓがライブ配信する歌唱動画を表示手段７２に表示させる第１の表示制御部７５ａと、サーバ装置Ｓが公開した投票用楽曲リストを表示手段７２に表示させる第２の表示制御部７５ｂと、投票用楽曲リストに含まれる楽曲のうち、歌唱者にカラオケ歌唱を行って欲しい楽曲として視聴者が選択した楽曲を示す投票情報をサーバ装置Ｓに送信する投票部７５ｃと、を有する。サーバ装置Ｓは、カラオケ装置Ｋから受信した投票用楽曲リストを公開する公開部８２ａと、カラオケ装置Ｋがストリーミング送信中の歌唱動画を視聴者端末にライブ配信する配信部８２ｂと、複数の視聴者端末から送信され、サーバ装置Ｓの記憶手段８０に記憶された投票情報を集計して投票結果を算出し、カラオケ装置Ｋに送信する集計部８２ｃと、を有する。
【０１２６】
このようなカラオケシステム１によれば、視聴者が投票用楽曲リストを参照しながら、聴きたいと思う楽曲を選ぶことができる。よって、視聴者が流動的な場合（たとえば歌唱動画の途中から視聴を開始する視聴者）であっても、その都度、自らが聴きたいと思う楽曲を選ぶことができる。また、このようなカラオケシステム１によれば、視聴者からの投票によって、次にカラオケ歌唱をする楽曲（歌唱動画をストリーミング送信する楽曲）が自動的に決定される。よって、不特定多数の視聴者が居る場合であっても、多くの視聴者が聴きたいと思う楽曲から優先的にカラオケ演奏がなされ、歌唱動画がストリーミング送信される。また、歌唱者は楽曲を選曲する手間がかからないため、視聴者からのコメント等への対応も行い易くなる。更に、カラオケ装置Ｋを利用することにより、演奏音や歌唱音声が高品質の歌唱動画を取得することができる。すなわち、本実施形態に係るカラオケシステム１によれば、カラオケ装置を利用して歌唱動画をライブ配信する際に、視聴者が聴きたい楽曲を容易に決定することができる。
【０１２７】
また、本実施形態に係るカラオケシステム１におけるカラオケ装置Ｋは、カラオケ演奏中の楽曲の演奏時間の残りが所定時間に達したことを契機として、集計部８２ｃに対し、投票情報の集計を指示することができる。このようなカラオケシステム１によれば、ライブ配信されている歌唱動画毎に、投票情報の集計を行うタイミングを設定することができる。
【０１２８】
また、本実施形態に係るカラオケシステム１における集計部８２ｃは、投票情報の集計を行った後、サーバ装置Ｓの記憶手段８０に記憶されている当該投票情報を消去することができる。このようなカラオケシステム１によれば、投票情報を都度消去するため、投票結果に過去の視聴者（現時点では視聴していない視聴者）の投票情報が反映されることが無い。従って、視聴者の流動性が高いような場合であっても、現時点で視聴している視聴者が聴きたいと思う楽曲をより的確に決定することができる。
【０１２９】
また、本実施形態に係るカラオケシステム１における演奏処理部２００は、セットリストに含まれる全ての楽曲のカラオケ演奏を行うことができる。この場合、カラオケ装置Ｋは、歌唱者がカラオケ歌唱を希望する楽曲全てについて、歌唱動画をストリーミング送信することができる。
【０１３０】
＜第２実施形態＞
次に、図８を参照して、第２実施形態に係るカラオケシステムについて説明する。本実施形態では、セットリストに含まれる楽曲の一部について歌唱動画をストリーミング送信する例について述べる。第１実施形態と同様の構成については詳細な説明を省略する。
【０１３１】
［演奏処理部］
本実施形態に係る演奏処理部２００は、歌唱者からの操作入力に基づいて楽曲のカラオケ演奏を開始する。
【０１３２】
歌唱者によっては、任意のタイミングでカラオケ歌唱を開始したいと考える者もいる。或いは、ライブ配信においては、これからカラオケ歌唱する楽曲の解説をしたり、視聴者からのコメントに応えるといった、カラオケ歌唱を行っていない動画（以下、トーク動画という）が配信されることもある。このような場合、カラオケ演奏の開始タイミングを歌唱者が指示できることが望ましい。
【０１３３】
そこで、本実施形態に係る演奏処理部２００は、リモコン装置５０を介して歌唱者から演奏開始の指示があるまではカラオケ演奏を行わない。演奏処理部２００は、歌唱者からの操作入力があった場合に、カラオケ演奏を開始する。
【０１３４】
なお、トーク動画の取得やストリーミング送信については、歌唱動画の取得やストリーミング送信と同様に行うことができる。すなわち、マイク４０は、歌唱者が話している音声を集音する。カメラ６０は、歌唱者が話している姿を撮影し、動画像を得る。転送部３００は、音声及び動画像を合成することでトーク動画を生成し、サーバ装置Ｓにストリーミング送信する。
【０１３５】
更に、本実施形態に係る演奏処理部２００は、カラオケ演奏を行うことを決定した次の楽曲のカラオケ演奏が、設定された配信時間中または配信終了時刻までに終了できない場合には、当該次の楽曲のカラオケ演奏を行わない。
【０１３６】
配信時間は、ライブ配信を行う時間（歌唱動画等をストリーミング送信する時間）である。配信終了時刻は、ライブ配信を終了する時刻（歌唱動画等のストリーミング送信を止める時刻）である。配信時間または配信終了時刻は、たとえば歌唱動画等のストリーミング送信を開始する前に、リモコン装置５０を介して歌唱者が任意の時間（３０分、１時間等）または任意の時刻（１５：００：００まで等）を設定できる。なお、配信時間または配信終了時刻を設定する際、歌唱者は配信開始時刻を併せて設定してもよい。また、配信時間または配信終了時刻の設定は、ライブ配信の途中（たとえば、いくつかの歌唱動画をストリーミング送信した時点）で行ってもよい。
【０１３７】
たとえば、歌唱者が設定した配信終了時刻が１６：００：００であり、現在時刻が１５：５５：００であり、次の楽曲として決定された楽曲の演奏時間が０６：００であるとする。この場合、次の楽曲をカラオケ演奏している最中（歌唱動画をストリーミング送信している最中）に、配信終了時刻が到来する。このような場合には、次の楽曲のカラオケ演奏が不要となる。よって、演奏処理部２００は、次の楽曲の演奏データを記憶手段１０ａから読み出さない。このような場合、セットリストに含まれる楽曲の一部のみについて歌唱動画がストリーミング送信されることとなる。
【０１３８】
＝＝カラオケシステムにおける処理の具体例＝＝
ここで、本実施形態に係るカラオケシステム１における処理をより具体的に説明する。この例では、カラオケ装置Ｋの投票用楽曲リスト生成部１００が、楽曲Ｘ１〜楽曲Ｘ５を含むセットリストＬ０を生成したとする。また、セットリストＬ０の先頭に置かれた楽曲Ｘ１をカラオケ演奏の１曲目とする。また、歌唱者が予め配信開始時刻として１２：１４：００、配信終了時刻として１２：３４：００を設定したとする。なお、配信開始時刻から配信終了時刻まで（配信時間）は、少なくともセットリストの１曲目の演奏時間よりも十分に長いものとなるよう設定される。更に、カラオケ装置Ｋは、カラオケ演奏中の楽曲の演奏時間の残りが所定時間に達したことを契機として、投票情報の集計を開始するよう集計部８２ｃに指示するものとする。集計部８２ｃは、当該指示に基づいて投票情報の集計を行うものとする。更に、集計部８２ｃは、投票情報の集計を行った後、サーバ装置Ｓの記憶手段８０に記憶されている当該投票情報を消去するものとする。
【０１３９】
配信開始時刻（１２：１４：００）が到来した場合、歌唱者は、まずトークＴ１を開始する。この場合、カラオケ装置Ｋの転送部３００は、トークＴ１の音声、及び歌唱者を撮影して得られる動画像に基づいてトーク動画Ｗ１を生成し、サーバ装置Ｓにストリーミング送信する。
【０１４０】
配信部８２ｂは、ストリーミング送信されているトーク動画Ｗ１を視聴者端末にライブ配信する。視聴者は、視聴者端末を介して、トーク動画Ｗ１を視聴する。
【０１４１】
トークＴ１を終えた歌唱者は、リモコン装置５０によりカラオケ演奏の開始の操作入力を行う。カラオケ演奏開始の操作入力に伴い、転送部３００は、トーク動画Ｗ１のサーバ装置Ｓへのストリーミング送信を終了する。サーバ装置Ｓの配信部８２ｂは、トーク動画Ｗ１のライブ配信を終了する。視聴者は、トーク動画Ｗ１の視聴を終了する。
【０１４２】
投票用楽曲リスト生成部１００は、セットリストＬ０から楽曲Ｘ１を削除することによりセットリストを更新し、投票用楽曲リストＬ１をサーバ装置Ｓに送信する。投票用楽曲リストＬ１には、楽曲Ｘ２〜楽曲Ｘ５が含まれている。サーバ装置Ｓの公開部８２ａは、投票用楽曲リストＬ１を公開し、投票情報の受付を開始する。
【０１４３】
一方、カラオケ演奏の開始の操作入力に基づき、カラオケ装置Ｋの演奏処理部２００は、楽曲Ｘ１の演奏データに基づいてカラオケ演奏を開始する。歌唱者は、カラオケ演奏に合わせてカラオケ歌唱を行う。カラオケ装置Ｋの転送部３００は、楽曲Ｘ１のカラオケ演奏の演奏音、歌唱者の歌唱音声、及び歌唱者を撮影して得られる動画像に基づいて歌唱動画Ｖ１を生成し、サーバ装置Ｓにストリーミング送信する。
【０１４４】
この際、転送部３００は、楽曲Ｘ１のカラオケ演奏を開始した時刻（演奏開始時刻）を記憶する。図８に示したように、この例において、楽曲Ｘ１の演奏開始時刻は、１２：１５：００である。
【０１４５】
配信部８２ｂは、ストリーミング送信されている歌唱動画Ｖ１を視聴者端末にライブ配信する。視聴者は、視聴者端末を介して、歌唱動画Ｖ１を視聴する。
【０１４６】
また、視聴者は、視聴者端末を介して、公開されている投票用楽曲リストＬ１を閲覧する。視聴者は、視聴者端末を介して、投票用楽曲リストＬ１に含まれる楽曲Ｘ２〜楽曲Ｘ５のうち、歌唱者にカラオケ歌唱を行って欲しい楽曲を選択する。各視聴者端末の投票部７５ｃは、選択された楽曲を示す投票情報をサーバ装置Ｓに送信する。サーバ装置Ｓの記憶手段８０は、受信した投票情報を記憶する。
【０１４７】
カラオケ装置Ｋは、カラオケ演奏中の楽曲Ｘ１の演奏時間（０４：５５）の残りが所定時間に達したことを契機として、集計部８２ｃに対し、投票情報の集計を指示する。この例では、所定時間を「５秒」であるとする。すなわち、カラオケ装置Ｋは、１２：１９：５０となったことを契機として、投票情報の集計の開始を指示する。集計部８２ｃは、それまでに各視聴者端末から送信された投票情報を集計して投票結果を算出する。
【０１４８】
ここで、投票結果が楽曲Ｘ２：３０００票、楽曲Ｘ３：２５００票、楽曲Ｘ４：５０００票、楽曲Ｘ５：１０００票であったとする。
【０１４９】
集計部８２ｃは、投票用楽曲リストＬ１に含まれる楽曲の中から、投票数が最も多い楽曲Ｘ４の楽曲ＩＤをカラオケ装置Ｋに送信する。決定部４００は、投票用楽曲リストＬ１に含まれる楽曲の中から、楽曲Ｘ４を次にカラオケ演奏する楽曲として決定する。
【０１５０】
集計部８２ｃは、集計時点で記憶手段８０に記憶されている投票情報を消去し、投票情報の受付を一旦中断する。また、カラオケ装置Ｋの演奏処理部２００は、楽曲Ｘ１のカラオケ演奏を終了する（演奏終了時刻は１２：１９：５５。図８参照）。転送部３００は、歌唱動画Ｖ１のサーバ装置Ｓへのストリーミング送信を終了する。サーバ装置Ｓの配信部８２ｂは、歌唱動画Ｖ１のライブ配信を終了する。視聴者は、歌唱動画Ｖ１の視聴を終了する。
【０１５１】
ここで、演奏処理部２００は、これまで行われたトークの平均時間と次の楽曲（２曲目）として決定された楽曲Ｘ４の演奏時間を現在時刻に加算し、配信終了時刻との差分が残りの３曲それぞれの演奏時間より長いか否かを確認することにより、次の楽曲Ｘ４を最後の楽曲とするか否かを判断する。なお、この際、楽曲Ｘ４の演奏終了後にトークを行うための予備時間を加味してもよい。
【０１５２】
図８に示したように、これまで行われたトークＴ１の時間は０１：００であり、楽曲Ｘ４の演奏時間は０５：５５であり、現在時刻（すなわち楽曲Ｘ１のカラオケ演奏終了時刻）は１２：１９：５５である。よって、楽曲Ｘ４をカラオケ歌唱する前に行うトークＴ２の予備時間を含めた楽曲Ｘ４の演奏終了推定時刻は、１２：２６：１０となり、配信終了時刻（１２：３４：００）との差分は０７：５０となる。ここで残り３曲の演奏時間のうち、最長の演奏時間は楽曲Ｘ２の０５：３０である。従って、いずれの楽曲もカラオケ演奏が可能であるため、演奏処理部２００は、楽曲Ｘ４を最後の楽曲とはしない。
【０１５３】
以上のように、決定部４００は、投票用楽曲リストＬ１に含まれる楽曲の中から、楽曲Ｘ４を次にカラオケ演奏する楽曲として決定する。投票用楽曲リスト生成部１００は、セットリストＬ０からカラオケ演奏を行った楽曲Ｘ１及び次にカラオケ演奏する楽曲に決定した楽曲Ｘ４を削除することによりセットリストを更新し、投票用楽曲リストＬ２をサーバ装置Ｓに送信する。投票用楽曲リストＬ２には、楽曲Ｘ２、楽曲Ｘ３、楽曲Ｘ５が含まれている。
【０１５４】
ここで、楽曲Ｘ１のカラオケ歌唱の後、歌唱者がトークＴ２を開始したとする。この場合、カラオケ装置Ｋの転送部３００は、トークＴ２の音声、及び歌唱者を撮影して得られる動画像に基づいてトーク動画Ｗ２を生成し、サーバ装置Ｓにストリーミング送信する。
【０１５５】
配信部８２ｂは、ストリーミング送信されているトーク動画Ｗ２を視聴者端末にライブ配信する。視聴者は、視聴者端末を介して、トーク動画Ｗ２を視聴する。
【０１５６】
トークＴ２を終えた歌唱者は、リモコン装置５０によりカラオケ演奏の開始の操作入力を行う。カラオケ演奏開始の操作入力に伴い、転送部３００は、トーク動画Ｗ２のサーバ装置Ｓへのストリーミング送信を終了する。サーバ装置Ｓの配信部８２ｂは、トーク動画Ｗ２のライブ配信を終了する。視聴者は、トーク動画Ｗ２の視聴を終了する。
【０１５７】
一方、カラオケ演奏の開始の操作入力に基づき、カラオケ装置Ｋの演奏処理部２００は、楽曲Ｘ４の演奏データに基づいてカラオケ演奏を開始する。歌唱者は、カラオケ演奏に合わせてカラオケ歌唱を行う。カラオケ装置Ｋの転送部３００は、楽曲Ｘ４のカラオケ演奏の演奏音、歌唱者の歌唱音声、及び歌唱者を撮影して得られる動画像に基づいて歌唱動画Ｖ２を生成し、サーバ装置Ｓにストリーミング送信する。
【０１５８】
この際、転送部３００は、楽曲Ｘ４のカラオケ演奏を開始した時刻（演奏開始時刻）を記憶する。図８に示したように、この例において、楽曲Ｘ４の演奏開始時刻は、１２：２２：００である。
【０１５９】
配信部８２ｂは、ストリーミング送信されている歌唱動画Ｖ２を視聴者端末にライブ配信する。視聴者は、視聴者端末を介して、歌唱動画Ｖ２を視聴する。また、サーバ装置Ｓの公開部８２ａは、投票用楽曲リストＬ２を公開し、投票情報の受付を開始する。
【０１６０】
視聴者は、視聴者端末を介して、公開されている投票用楽曲リストＬ２を閲覧する。視聴者は、視聴者端末を介して、投票用楽曲リストＬ２に含まれる楽曲Ｘ２、楽曲Ｘ３、及び楽曲Ｘ５のうち、歌唱者にカラオケ歌唱を行って欲しい楽曲を選択する。各視聴者端末の投票部７５ｃは、選択された楽曲を示す投票情報をサーバ装置Ｓに送信する。サーバ装置Ｓの記憶手段８０は、受信した投票情報を記憶する。
【０１６１】
カラオケ装置Ｋは、カラオケ演奏中の楽曲Ｘ４の演奏時間（０５：５５）の残りが所定時間に達したことを契機として、集計部８２ｃに対し、投票情報の集計を指示する。すなわち、カラオケ装置Ｋは、１２：２７：５０となったことを契機として、投票情報の集計の開始を指示する。集計部８２ｃは、それまでに各視聴者端末から送信された投票情報を集計して投票結果を算出する。
【０１６２】
ここで、投票結果が楽曲Ｘ２：２０００票、楽曲Ｘ３：３０００票、楽曲Ｘ５：２５００票であったとする。
【０１６３】
集計部８２ｃは、投票用楽曲リストＬ２に含まれる楽曲の中から、投票数が最も多い楽曲Ｘ３の楽曲ＩＤをカラオケ装置Ｋに送信する。決定部４００は、投票用楽曲リストＬ２に含まれる楽曲の中から、楽曲Ｘ３を次にカラオケ演奏する楽曲として決定する。
【０１６４】
集計部８２ｃは、集計時点で記憶手段８０に記憶されている投票情報を消去し、投票情報の受付を一旦中断する。また、カラオケ装置Ｋの演奏処理部２００は、楽曲Ｘ４のカラオケ演奏を終了する（演奏終了時刻は１２：２７：５５。図８参照）。転送部３００は、歌唱動画Ｖ２のサーバ装置Ｓへのストリーミング送信を終了する。サーバ装置Ｓの配信部８２ｂは、歌唱動画Ｖ２のライブ配信を終了する。視聴者は、歌唱動画Ｖ２の視聴を終了する。
【０１６５】
ここで、演奏処理部２００は、これまで行われたトークの平均時間と次の楽曲（３曲目）として決定された楽曲Ｘ３の演奏時間を現在時刻に加算し、配信終了時刻との差分が残りの２曲それぞれの演奏時間より長いか否かを確認することにより、次の楽曲Ｘ３を最後の楽曲とするか否かを判断する。
【０１６６】
図８に示したように、これまで行われたトークＴ１及びトークＴ２の平均時間は０１：３３であり、楽曲Ｘ３の演奏時間は０３：５５であり、現在時刻（すなわち楽曲Ｘ４のカラオケ演奏終了時刻）は１２：２７：５５である。よって、楽曲Ｘ３をカラオケ歌唱する前に行うトークＴ３の予備時間を含めた楽曲Ｘ３の演奏終了推定時刻は、１２：３３：１３となり、配信終了時刻（１２：３４：００）との差分は００：４７となる。ここで残り２曲の演奏時間はいずれも００：４７より長いため、これ以上のカラオケ演奏はできない。従って、演奏処理部２００は、楽曲Ｘ３を最後の楽曲とする。最後の楽曲の決定に伴い、セットリストの更新、投票用楽曲リストの公開、投票情報の集計等に関わる処理は終了する。
【０１６７】
楽曲Ｘ４のカラオケ歌唱の後、歌唱者は、トークＴ３を開始したとする。この場合、カラオケ装置Ｋの転送部３００は、トークＴ３の音声、及び歌唱者を撮影して得られる動画像に基づいてトーク動画Ｗ３を生成し、サーバ装置Ｓにストリーミング送信する。
【０１６８】
配信部８２ｂは、ストリーミング送信されているトーク動画Ｗ３を視聴者端末にライブ配信する。視聴者は、視聴者端末を介して、トーク動画Ｗ３を視聴する。
【０１６９】
トークＴ３を終えた歌唱者は、リモコン装置５０によりカラオケ演奏の開始の操作入力を行う。カラオケ演奏開始の操作入力に伴い、転送部３００は、トーク動画Ｗ３のサーバ装置Ｓへのストリーミング送信を終了する。サーバ装置Ｓの配信部８２ｂは、トーク動画Ｗ３のライブ配信を終了する。視聴者は、トーク動画Ｗ３の視聴を終了する。
【０１７０】
一方、カラオケ演奏の開始の操作入力に基づき、カラオケ装置Ｋの演奏処理部２００は、楽曲Ｘ３の演奏データに基づいてカラオケ演奏を開始する。歌唱者は、カラオケ演奏に合わせてカラオケ歌唱を行う。カラオケ装置Ｋの転送部３００は、楽曲Ｘ３のカラオケ演奏の演奏音、歌唱者の歌唱音声、及び歌唱者を撮影して得られる動画像に基づいて歌唱動画Ｖ３を生成し、サーバ装置Ｓにストリーミング送信する。なお、図８に示したように、この例において、楽曲Ｘ３の演奏開始時刻は、１２：２９：００である。
【０１７１】
配信部８２ｂは、ストリーミング送信されている歌唱動画Ｖ３を視聴者端末にライブ配信する。視聴者は、視聴者端末を介して、歌唱動画Ｖ３を視聴する。
【０１７２】
その後、カラオケ装置Ｋの演奏処理部２００は、楽曲Ｘ３のカラオケ演奏を終了する（演奏終了時刻は１２：３２：５５。図８参照）。転送部３００は、歌唱動画Ｖ３のサーバ装置Ｓへのストリーミング送信を終了する。サーバ装置Ｓの配信部８２ｂは、歌唱動画Ｖ３のライブ配信を終了する。視聴者は、歌唱動画Ｖ３の視聴を終了する。
【０１７３】
楽曲Ｘ３のカラオケ歌唱の後、歌唱者は、配信終了時刻（１２：３４：００）までトークＴ４を行う。この場合、カラオケ装置Ｋの転送部３００は、トークＴ４の音声、及び歌唱者を撮影して得られる動画像に基づいてトーク動画Ｗ４を生成し、サーバ装置Ｓにストリーミング送信する。
【０１７４】
配信部８２ｂは、ストリーミング送信されているトーク動画Ｗ４を視聴者端末にライブ配信する。視聴者は、視聴者端末を介して、トーク動画Ｗ４を視聴する。
【０１７５】
配信終了時刻（１２：３４：００）が到来した場合、転送部３００は、トーク動画Ｗ４のサーバ装置Ｓへのストリーミング送信を終了する。サーバ装置Ｓの配信部８２ｂは、トーク動画Ｗ４のライブ配信を終了する。視聴者は、トーク動画Ｗ４の視聴を終了する。この例の場合、セットリストＬ０に含まれている楽曲のうち、楽曲Ｘ２及び楽曲Ｘ５については、カラオケ演奏が行われない。
【０１７６】
このように、本実施形態に係るカラオケシステム１において、演奏処理部２００は、歌唱者からの操作入力に基づいて楽曲のカラオケ演奏を開始し、カラオケ演奏を行うことを決定した次の楽曲のカラオケ演奏が、設定された配信時間中または配信終了時刻までに終了できない場合には、当該次の楽曲のカラオケ演奏を行わない。このようなカラオケシステム１によれば、歌唱者が希望する時間または時刻において、セットリストに含まれる楽曲の中から視聴者が聴きたい楽曲を優先的にカラオケ演奏し、歌唱動画をライブ配信することができる。
【０１７７】
＜その他＞
上記実施形態においてカラオケ装置Ｋ及びサーバ装置Ｓが有する構成は一例である。たとえば、集計部８２ｃをカラオケ装置Ｋに設けることができる。この場合、サーバ装置Ｓは、視聴者端末から受信した投票情報をカラオケ装置Ｋに転送する。或いは、決定部４００をサーバ装置Ｓに設けることもできる。この場合、カラオケ装置Ｋは、サーバ装置Ｓによって決定された次の楽曲を識別するための楽曲ＩＤを受信し、当該楽曲ＩＤに応じて演奏データを読み出し、カラオケ演奏を行う。
【０１７８】
また、第２実施形態の例において、トーク動画をストリーミング送信する例について述べたが、トーク動画のストリーミング送信は必須ではない。逆に、第１実施形態の構成においてトーク動画をストリーミング送信してもよい。この場合、演奏処理部２００は、第２実施形態と同様、歌唱者からの操作入力に基づいて楽曲のカラオケ演奏を開始することが好ましい。
【０１７９】
第１実施形態の処理と第２実施形態の処理を併用してもよい。たとえば、カラオケシステム１は、セットリストに含まれる楽曲の総演奏時間と、歌唱者が設定した配信時間とを比較する。そして、総演奏時間が配信時間よりも短い場合、カラオケシステム１は、第１実施形態の処理を実行する。逆に、総演奏時間が配信時間よりも長い場合、カラオケシステム１は、第２実施形態の処理を実行する。
【０１８０】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１８１】
１  カラオケシステム
７５ａ  第１の表示制御部
７５ｂ  第２の表示制御部
７５ｃ  投票部
８２ａ  公開部
８２ｂ  配信部
８２ｃ  集計部
１００  投票用楽曲リスト生成部
２００  演奏処理部
３００  転送部
４００  決定部
Ｋ  カラオケ装置
Ｍ２〜Ｍｎ  利用者端末（視聴者端末）
Ｓ  サーバ装置
【図１】
2020134900.tif 000003
【図２】
2020134900.tif 000004
【図３】
2020134900.tif 000005
【図４】
2020134900.tif 000006
【図５】
2020134900.tif 000007
【図６Ａ】
2020134900.tif 000008
【図６Ｂ】
2020134900.tif 000009
【図７】
2020134900.tif 000010
【図８】
2020134900.tif 000011